(57)【要約】      （修正有）【課題】ロール紙を容易に引き出すことができるとともに、切断時には確実にロール紙を切断できるロール紙の保持切断装置を提供する。【解決手段】揺動リンク５３、５３の他端部に設けられた紙受け部５９と、揺動リンク５３、５３にロール紙Ｒの外周面に対向して設けられ、紙受け部５９がロール紙Ｒに接近する方向に押されたとき、ロール紙Ｒの外周面を押圧する押圧部材５７とを備えている。従って、ロール紙の解放側端部Ｆを、第１のガイドローラ４９及び紙受け部５９の外側を通して引出し、このロール紙の解放側端部Ｆをロール紙Ｒの外周面に近接する方向に引くことによって、押圧部材５７をロール紙Ｒの外周面に押圧してロール紙Ｒの回転を固定し、その後、ロール紙Ｒの解放側端部Ｆを引っぱることによって、ロール紙Ｒを切断することができる。【選択図】図１
2005323760.tif 000002
【特許請求の範囲】
【請求項１】
長尺紙が巻回されたロール紙を回転可能に保持するフレームと、
このフレームに一端部が揺動可能に連結され、前記ロール紙の上方を覆うように形成されたカバーと、
このカバーの一端側に、一端部がそれぞれ回動可能に連結されるとともに、他端部がそれぞれ前記ロール紙の外周面に離接する方向に回動する一対の回動アームと、
前記回動アームの他端部に一端部が揺動可能に連結されるとともに他端部が前記ロール紙の外周面に離接する方向に揺動する揺動アームと、
この揺動アームの他端部に設けられた紙受け部と、
前記揺動アームに前記ロール紙の外周面に対向して設けられ、前記紙受け部が前記ロール紙に接近する方向に押されたとき、前記ロール紙の外周面を押圧する押圧部材と、
を備え、
前記巻回されたロール紙の解放側端部を、前記紙受け部の外側を通して引出し、前記解放側端部を前記ロール紙の外周面に近接する方向に引くことによって、前記紙受け部を前記ロール紙の外周面に近接する方向に揺動させ、前記押圧部材を前記ロール紙の外周面に押圧して前記ロール紙の回転を固定し、その後、前記解放側端部を引張ることによって、前記ロール紙から引き出された長尺紙を切断することを特徴とするロール紙の保持切断装置。
【請求項２】
長尺紙が巻回されたロール紙を回転可能に保持するフレームと、
このフレームに一端部がそれぞれ回動可能に連結されるとともに、他端部がそれぞれ前記ロール紙の外周面に離接する方向に回動する一対の回動アームと、
前記回動アームの他端部に一端部が揺動可能に連結されるとともに他端部が前記ロール紙の外周面に離接する方向に揺動する揺動アームと、
この揺動アームの他端部に設けられた紙受け部と、
前記揺動アームに前記ロール紙の外周面に対向して設けられ、前記紙受け部が前記ロール紙に接近する方向に押されたとき、前記ロール紙の外周面を押圧する押圧部材と、
を備え、
前記巻回されたロール紙の解放側端部を、前記紙受け部の外側を通して引出し、前記解放側端部を前記ロール紙の外周面に近接する方向に引くことによって、前記紙受け部を前記ロール紙の外周面に近接する方向に揺動させ、前記押圧部材を前記ロール紙の外周面に押圧して前記ロール紙の回転を固定し、その後、前記解放側端部を引張ることによって、前記ロール紙から引き出された長尺紙を切断することを特徴とするロール紙の保持切断装置。
【請求項３】
前記フレームに一端部が揺動可能に連結され、前記ロール紙の上方を覆うように形成されたカバーをさらに備えたことを特徴とする請求項２に記載のロール紙の保持切断装置。
【請求項４】
前記回動アームと前記揺動アームとの間には、前記押圧部材を前記ロール紙の外周面から離間させる方向に付勢する付勢手段が介装されていることを特徴とする請求項１ないし３に記載のロール紙の保持切断装置。
【請求項５】
前記押圧部材の上部に前記長尺紙を保持する保持部を設け、前記ロール紙の解放側端部を前記押圧部材の外側を通して引出し、前記解放側端部を前記ロール紙の外周面に近接する方向に引くことによって、前記長尺紙を前記保持部に押圧して保持するように構成したことを特徴とする請求項１ないし４のいずれか１項に記載のロール紙の保持切断装置。
【請求項６】
前記一対の回動アームの他端部間に橋渡されて設けられ軸線周りに回転可能なガイドローラをさらに備え、前記巻回されたロール紙の解放側端部を、前記ガイドローラの外側を通して引出すようにしたことを特徴とする請求項１ないし５に記載のロール紙の保持切断装置。
【請求項７】
前記揺動アームは、前記一対の回動アームの他端部に一端部がそれぞれ揺動可能に連結された一対の揺動リンクであることを特徴とする請求項１ないし６に記載のロール紙の保持切断装置。
【請求項８】
前記紙受け部は、前記一対の揺動リンクの他端部間に橋渡されて設けられた板状の紙受け板であることを特徴とする請求項７に記載のロール紙の保持切断装置。
【請求項９】
前記紙受け板には、前記ロール紙を切断する歯部が形成されていることを特徴とする請求項８に記載のロール紙の保持切断装置。
【発明の詳細な説明】
【技術分野】
【０００１】
本発明は、ロール紙を回転可能に保持するとともに、容易に切断することができるロール紙の保持切断装置に関する。
【背景技術】
【０００２】
従来、トイレットペーを回転可能に保持するロール紙の保持装置としては、図４に示すようなものが知られている。このロール紙の保持装置１１は、ロール紙Ｒを回転自在に保持するフレーム部１３を有しており、このフレーム部１３には一端部が揺動可能に連結されたカバー１５が設けられている。このカバー１５の他端部１７にはロール紙を切断する刃部１９が形成されており、この刃部１９を有する他端部１７は、スプリング等の力によってロール紙Ｒの外周面に押圧されるようになっている。そして、ロール紙を切断するには、ロール紙の解放側端部Ｆを手前に引くことによって、他端部１７によって押圧固定されたロール紙をその刃部１９で切断するようになっている。
【０００３】
しかしながら、この従来のロール紙の保持装置においては、カバーの他端部のロール紙への押圧力は、ロール紙を繰り出す時もロール紙を切断する時も一定で同じである。このため、ロール紙への押圧力を強くすると、ロール紙の繰り出し時にロール紙が切断してしまい、押圧力を弱くすると、ロール紙の切断時にロール紙が保持されずロール紙の切断ができないという問題点があった。
【発明の開示】
【発明が解決しようとする課題】
【０００４】
本発明は、かかる問題点に鑑みてなされたものであって、ロール紙を容易に繰り出すことができるとともに、切断時には確実にロール紙を切断できるロール紙の保持切断装置を提供することを目的としている。
【課題を解決するための手段】
【０００５】
請求項１に記載の発明は、長尺紙が巻回されたロール紙を回転可能に保持するフレームと、このフレームに一端部が揺動可能に連結され、前記ロール紙の上方を覆うように形成されたカバーと、このカバーの一端側に、一端部がそれぞれ回動可能に連結されるとともに、他端部がそれぞれ前記ロール紙の外周面に離接する方向に回動する一対の回動アームと、前記回動アームの他端部に一端部が揺動可能に連結されるとともに他端部が前記ロール紙の外周面に離接する方向に揺動する揺動アームと、この揺動アームの他端部に設けられた紙受け部と、前記揺動アームに前記ロール紙の外周面に対向して設けられ、前記紙受け部が前記ロール紙に接近する方向に押されたとき、前記ロール紙の外周面を押圧する押圧部材と備え、前記巻回されたロール紙の解放側端部を、前記紙受け部の外側を通して引出し、前記解放側端部を前記ロール紙の外周面に近接する方向に引くことによって、前記紙受け部を前記ロール紙の外周面に近接する方向に揺動させ、前記押圧部材を前記ロール紙の外周面に押圧して前記ロール紙の回転を固定し、その後、前記解放側端部を引張ることによって、前記ロール紙から引き出された長尺紙を切断することを特徴とする。
【０００６】
請求項２に記載の発明は、長尺紙が巻回されたロール紙を回転可能に保持するフレームと、このフレームに一端部がそれぞれ回動可能に連結されるとともに、他端部がそれぞれ前記ロール紙の外周面に離接する方向に回動する一対の回動アームと、前記回動アームの他端部に一端部が揺動可能に連結されるとともに他端部が前記ロール紙の外周面に離接する方向に揺動する揺動アームと、この揺動アームの他端部に設けられた紙受け部と、前記揺動アームに前記ロール紙の外周面に対向して設けられ、前記紙受け部が前記ロール紙に接近する方向に押されたとき、前記ロール紙の外周面を押圧する押圧部材と備え、前記巻回されたロール紙の解放側端部を、前記紙受け部の外側を通して引出し、前記解放側端部を前記ロール紙の外周面に近接する方向に引くことによって、前記紙受け部を前記ロール紙の外周面に近接する方向に揺動させ、前記押圧部材を前記ロール紙の外周面に押圧して前記ロール紙の回転を固定し、その後、前記解放側端部を引張ることによって、前記ロール紙から引き出された長尺紙を切断することを特徴とする。
【０００７】
請求項３に記載の発明は、前記フレームに一端部が揺動可能に連結され、前記ロール紙の上方を覆うように形成されたカバーをさらに備えたことを特徴とする。
【０００８】
請求項４に記載の発明は、前記回動アームと前記揺動アームとの間には、前記押圧部材を前記ロール紙の外周面から離間させる方向に付勢する付勢手段が介装されていることを特徴とする。
【０００９】
請求項５に記載の発明は、前記押圧部材の上部に前記長尺紙を保持する保持部を設け、前記ロール紙の解放側端部を前記押圧部材の外側を通して引出し、前記解放側端部を前記ロール紙の外周面に近接する方向に引くことによって、前記長尺紙を前記保持部に押圧して保持するように構成したことを特徴とする。
【００１０】
請求項６に記載の発明は、前記一対の回動アームの他端部間に橋渡されて設けられ軸線周りに回転可能なガイドローラをさらに備え、前記巻回されたロール紙の解放側端部を、前記ガイドローラの外側を通して引出すようにしたことを特徴とする。
【００１１】
請求項７に記載の発明は、前記揺動アームは、前記一対の回動アームの他端部に一端部がそれぞれ揺動可能に連結された一対の揺動リンクであることを特徴とする。
【００１２】
請求項８に記載の発明は、前記紙受け部は、前記一対の揺動リンクの他端部間に橋渡されて設けられた板状の紙受け板であることを特徴とする。
【００１３】
請求項９に記載の発明は、前記紙受け板には、前記ロール紙を切断する歯部が形成されていることを特徴とする。
【発明の効果】
【００１４】
請求項１ないし３に記載の発明によれば、長尺紙が巻回されたロール紙を回転可能に保持するフレームと、このフレームに一端部が揺動可能に連結され、前記ロール紙の上方を覆うように形成されたカバーと、このカバーの一端側に、一端部がそれぞれ回動可能に連結されるとともに、他端部がそれぞれ前記ロール紙の外周面に離接する方向に回動する一対の回動アームと、前記回動アームの他端部に一端部が揺動可能に連結されるとともに他端部が前記ロール紙の外周面に離接する方向に揺動する揺動アームと、この揺動アームの他端部に設けられた紙受け部と、前記揺動アームに前記ロール紙の外周面に対向して設けられ、前記紙受け部が前記ロール紙に接近する方向に押されたとき、前記ロール紙の外周面を押圧する押圧部材とを備え、前記巻回されたロール紙の解放側端部を、前記紙受け部の外側を通して引出し、前記解放側端部を前記ロール紙の外周面に近接する方向に引くことによって、前記紙受け部を前記ロール紙の外周面に近接する方向に揺動させ、前記押圧部材を前記ロール紙の外周面に押圧して前記ロール紙の回転を固定し、その後、前記解放側端部を引張ることによって、前記ロール紙から引き出された長尺紙を切断するようにしているから、ロール紙から長尺紙を引き出す際に、ロール紙と解放側端部との間に不要なテンションがかかることがなく、ロール紙から長尺紙を極めてスムーズに引き出すことができる。また、ロール紙から引き出された解放側端部を下方に引っ張るだけで、長尺紙を容易かつ確実に切断することができる。
【００１５】
請求項４に記載の発明によれば、前記回動アームと前記揺動アームとの間には、前記押圧部材を前記ロール紙の外周面から離間させる方向に付勢する付勢手段が介装されているから、揺動アームが下方に下がり押圧部材がロール紙外周面に当節することを防止でき、ロール紙からの長尺紙の引出しをスムーズに行うことができる。
【００１６】
請求項５に記載の発明によれば、前記押圧部材の上部に前記長尺紙を保持する保持部を設け、前記ロール紙の解放側端部を前記押圧部材の外側を通して引出し、前記解放側端部を前記ロール紙の外周面に近接する方向に引くことによって、前記長尺紙を前記保持部に押圧して保持するようにしているから、前記保持部と前記解放側端部との間に張力を生じさせることができ、従ってこの間で長尺紙を切断することができる。
【００１７】
請求項６に記載の発明によれば、前記一対の回動アームの他端部間に橋渡されて設けられ軸線周りに回転可能なガイドローラをさらに備え、前記巻回されたロール紙の解放側端部を、前記ガイドローラの外側を通して引出すようにしているから、ロール紙からの長尺紙の引出しをよりスムーズに行うことができる。
【００１８】
請求項７に記載の発明によれば、前記揺動アームは、前記回動アームの他端部に一端部がそれぞれ揺動可能に連結される一対の揺動リンクであるから、板金等を使用して容易に構成することができる。
【００１９】
請求項８に記載の発明によれば、前記紙受け部は、前記一対の揺動リンクの他端部間に橋渡されて設けられた板状の紙受け板であるから、ロール紙から引き出された長尺紙からの力を無理なく受けることができ、従って長尺紙に不必要なテンションがかかるのを防止することができる。
【００２０】
請求項９に記載の発明によれば、前記紙受け板には、前記ロール紙を切断する歯部が形成されているから、ロール紙にミシン目がない場合でも確実に切断することができる。
【発明を実施するための最良の形態】
【００２１】
以下、本発明の実施の形態について、図１ないし図３を参照して説明する。
【００２２】
図１ないし図３は、本発明の実施の形態であるロール紙の保持切断装置３１を示す。このロール紙の保持切断装置３１は、基板３３を有しており、この基板３３には、ロール紙軸受け３５が設けられている。このロール紙軸受３５には、ロール紙を軸支する支持軸３７が保持されている。そして、この支持軸３７にトイレットペーパ等のロール紙Ｒが回転可能に保持されている。
【００２３】
また、基板３３のロール紙軸受け３５の上方には、第１のヒンジ３９を介してカバー４１の一端部が連結されている。このカバー４１は、ロール紙Ｒの上方を覆うように配設されており、第１のヒンジ３９を中心として上下方向に揺動可能になされている。
【００２４】
このカバー４１の一端部の下面には、一対の第２のヒンジ４３、４３を介して一対の回動アーム４５、４５の一端部が連結されている。この回動アーム４５、４５は、第２のヒンジ４３、４３から前方にロール紙の外周側縁に沿って延びており、第２のヒンジ４３、４３を中心として上下方向に揺動可能になされている。また、この一対の回動アーム４５、４５の中程には、それぞれロール紙ガイド板４７、４７が下方に延出して形成されている。そして、これらロール紙ガイド板４７、４７をロール紙Ｒの側面に当接させることによって、ロール紙Ｒの軸方向の位置ずれに回動アーム４５、４５が追従できるようになっている。
【００２５】
一対の回動アーム４５、４５の他端より所定距離内側には、第１のガイドローラ４９が設けられている。この第１のガイドローラ４９は、回動アーム４５、４５間に回転自在に橋渡しされて配設されており、ここを通過するロール紙をスムーズにガイドするようになっている。
【００２６】
一対の回動アーム４５、４５の他端には第３のヒンジ５１、５１を介してそれぞれ揺動リンク５３、５３の一端部が連結されている。この揺動リンク５３、５３は、第３のヒンジ５１、５１から前方にロール紙の外周側縁に沿って延びており、第３のヒンジ５１、５１を中心として上下方向に揺動可能になされている。また、この一対の揺動リンク５３、５３の前部には、それぞれロール紙ガイド板５５、５５が下方に延出して形成されている。そして、これらロール紙ガイド板５５、５５をロール紙Ｒの側面に当接させることによって、ロール紙Ｒの軸方向の位置ずれに揺動リンク５３、５３が追従できるようになっている。
【００２７】
また、これら揺動リンク５３、５３の第３のヒンジ５１、５１の近傍には、押圧部材５７が揺動リンク５３、５３と一体に設けられている。この押圧部材５７は、ロール紙Ｒの外周面を押圧することによってロール紙の回転を固定するためのものであって、一対の揺動リンク５３、５３の間に橋渡たされて形成されている。この押圧部材５７は、第３のヒンジ５１をその内部に包み込む筒体の一部からなる押圧部本体５７ａとこの押圧部本体５７ａから下方に突出した先端部５７ｂとを有している。そして、この押圧部材５７は、先端部５７ｂによって、ロール紙Ｒの外周面を押圧してロール紙Ｒの回転を固定するようになっている。また、押圧部本体５７には、第１の歯部５７ｃが設けられている。この第１の歯部５７ｃは、後述するように、この第１の歯部５７ｃ上に押圧されたロール紙Ｒを保持して所定位置から切断できるようにしたものである。
【００２８】
押圧部材５７の内側のヒンジ５１には、第２のガイドローラ５８が回転自在に設けられている。この第２のガイドローラ５８は、図２に示すように、ロール紙Ｒから長尺紙Ｓを引き出すときに、ロール紙Ｒの外周面上を転動し、ロール紙Ｒの回転をスムーズに行うことができるようにしている。
【００２９】
また、揺動リンク５３、５３の前端部には、紙受け板５９が設けられている。この紙受け板５９は、ロール紙を下方に引っ張った際、揺動リンク５３、５３を下方に揺動させ、これによって押圧部材５７をロール紙に押圧するためのものであって、一対の揺動リンク５３、５３の間に橋渡たされて固定されている。この紙受け板５９の第３のヒンジ５１寄りの上面には、ロール紙を切断する第２の歯部６１が形成されている。ロール紙として、ミシン目がないものを使用した場合にこの部分からロール紙が切断するようにするためのものである。なお、前述のカバー４１はその先端部４１ａがこの紙受け板５９の第２の歯部６１と当接するような長さに形成されている。
【００３０】
揺動リンク５３と回動アーム４５を連結する第３のヒンジ５１には、揺動リンク５３を回動アーム４５に対して上方に揺動させるように付勢するスプリング６３が設けられている。このスプリング６３は、ロール紙によって揺動リンク５３が下方に押圧されていないとき、図２に示すように、揺動リンク５３を上方に揺動させ、押圧部材５７によるロール紙外周面への押圧を解除するためのものである。
【００３１】
以下、このような構成のロール紙の保持切断装置の作用効果について説明する。まず、ロール紙としてミシン目の入ってないものを使用する場合について説明する。
【００３２】
まず、トイレットペーパ等のロール紙Ｒをロール紙軸受け３５の支持軸３７に回転可能に軸支する。
【００３３】
次に、ロール紙Ｒの解放側端部Ｆを、図１に示すように、一対の回動アーム４５、４５の間を通して引き出す。
【００３４】
次いで、この解放側端部Ｆを、図２に示すように、カバー４１と第１のガイドローラ４９及び紙受け板５９との間を通して矢印Ｐ方向に手前に引き出す。
【００３５】
この図２に示す状態では、揺動リンク５３は、スプリング６３の作用によって前端部が上方に上がった状態になっている。従って、押圧部材５７の先端５７ｂはロール紙Ｒの外周面から離間しており、ロール紙Ｒは自由に回転することができる。また、この際、ロール紙Ｒの外周面には第２のローラ５８が転動するようになっているので、ロール紙Ｒの回転をスムーズに行うことができる。なお、ここで、スプリング６３は、その強度を揺動リンク５３を図２に示す位置で保持できる程度に調整されているため、揺動アームの前端部が上方に上がり過ぎて歯部６１がロール紙Ｒから引き出された長尺紙Ｓに引っかかるようなことはない。
【００３６】
また、巻回されたロール紙Ｒから引き出された長尺紙Ｓは、図２に示すように、回転自在の第１のガイドローラ４９にガイドされているので、スムーズに引き出すことができる。
【００３７】
このように、このロール紙の保持切断装置３１にあっては、図２に示すように、ロール紙Ｒから長尺紙Ｓを引き出す際に、ロール紙Ｒが自由に回転することができ、ロール紙Ｒと解放側端部Ｆとの間に不要なテンションがかかることがない。従って、この段階で長尺紙Ｓが途中で切れてしまうことを防止することができ、ロール紙Ｒから長尺紙Ｓを極めてスムーズに引き出すことができる。
【００３８】
次に、引き出された長尺紙Ｓを切断する場合には、図３に示すように、解放側他端部Ｆを矢印Ｑに示すように下方に引っ張る。
【００３９】
このようにすると、長尺紙Ｓが、スプリング６３の力に抗して紙受け板５９を下方に押し下げ、揺動リンク５３が下方に回動する。これによって、押圧部材５７の先端部５７ｂがロール紙Ｒの外周面を押圧し、ロール紙Ｒの回転を固定する。この際、紙受け板５９とヒンジ５１との距離は先端部５７ｂとヒンジ５１との距離より大きいため、てこの原理により、より大きい力で先端部５７ｂをロール紙Ｒに押圧することができる。また、ロール紙Ｒと解放側端部Ｆとの間の長尺紙Ｓにはテンションが加わっているから、第１のガイドロール４９、押圧部材５７のガイド部５７ａも下方に引っ張られ浮き上がることはない。従って、押圧部材５７の先端部５７ｂによってロール紙Ｒの回転を確実に固定することができる。
【００４０】
また、解放側端部Ｆを下方に引っ張ると、長尺紙Ｓは、第１の歯部５７ｃに押圧され保持された状態になる。したがって、この状態でさらに解放側端部Ｆを下方に引っ張ると、長尺紙Ｓの第１の歯部５７ｃで保持された部分と解放側端部Ｆとの間に張力が働き、長尺紙Ｓは第２の歯部４１ａから切断される。
【００４１】
このように、このロール紙の保持切断装置３１にあっては、図３に示すように、ロール紙Ｒから引き出された解放側端部Ｆを下方に引っ張るだけで、長尺紙Ｓを容易かつ確実に歯部４１ａから切断することができる。従って、予期しない場所から切断してしまうことを防止することができ、必要な長さだけ紙を使用することができる。
【００４２】
次に、ミシン目の入ったロール紙を使用する場合について説明する。
【００４３】
ミシン目が入ったロール紙を使用するときは、紙受け部５９の歯部６１は、必ずしも必要ではない。この場合は、まず解放側端部Ｆを下方に引っ張ることによって、図３に示す状態、すなわち先端部５７ｂによってロール紙Ｒの回転が固定され、第１の歯部５７ｃによって長尺紙Ｓが保持された状態になる。そして、さらに解放側端部Ｆを下方に引くと、解放側端部Ｆと長尺紙Ｓの第１の歯部５７ｃによって保持されている部分との間に張力が働き、この間のミシン目が施された部分で長尺紙が切断される。
【００４４】
このように、上記実施の形態にあっては、ロール紙Ｒを保持するロール紙軸受け３５が設けられた基板３３と、この基板３３に一端部が揺動可能に連結されたカバー４１と、このカバー４１の一端側に、一端部がそれぞれ回動可能に連結されるとともに、他端部がそれぞれ前記ロール紙の外周面に離接する方向に回動する回動アーム４５、４５と、この一対の回動アーム４５、４５の他端部間に連結して設けられた第１のガイドローラ４９と、回動アーム４５、４５の他端部に一端部が揺動可能に連結されるとともに他端部が前記ロール紙Ｒの外周面に離接する方向に揺動する揺動リンク５３、５３と、この揺動リンク５３、５３の他端部に設けられた紙受け部５９と、揺動リンク５３、５３にロール紙Ｒの外周面に対向して設けられ、紙受け部５９がロール紙Ｒに接近する方向に押されたとき、ロール紙Ｒの外周面を押圧する押圧部材５７とを備え、ロール紙の解放側端部Ｆを、第１のガイドローラ４９及び紙受け部５９の外側を通して引出し、このロール紙の解放側端部Ｆをロール紙Ｒの外周面に近接する方向に引くことによって、紙受け部５９をロール紙Ｒの外周面に近接する方向に揺動させ、押圧部材５７をロール紙Ｒの外周面に押圧してロール紙Ｒの回転を固定し、その後、ロール紙Ｒの解放側端部Ｆを引っぱることによって、ロール紙Ｒを切断するようにしているから、ロール紙Ｒから長尺紙Ｓを引き出す際に、ロール紙Ｒと解放側端部Ｆとの間に不要なテンションがかかることがない。従って、この段階で長尺紙Ｓが途中で切れてしまうことを防止することができ、ロール紙Ｒから長尺紙Ｓを極めてスムーズに引き出すことができる。そして、その後ロール紙Ｒから引き出された解放側端部Ｆを下方に引っ張るだけで、長尺紙Ｓを容易かつ確実に歯部４１ａから切断することができる。
【００４５】
なお、上記実施の形態においては、回動アーム４５をカバー４１に設けられた第１のヒンジ４３に揺動可能に軸支しているが、これに限る必要はなく、回動アーム４１を基板３３に設けられたヒンジに軸支してもよい。
【００４６】
また、上記実施の形態においては、一対の揺動リンク５３、５３を平行に設け、その間を押圧部材５７、紙受け板５９で連結しているが、これに限る必要はなく、これら、揺動リンク５３、５３、押圧部材５７、紙受け板５９を一体として、例えば樹脂成型品やダイキャスト成形品等で構成してもよい。
【００４７】
また、上記実施の形態においては、スプリング６３で揺動リンク５３を上方に付勢しているが、これに限る必要はなく、第３のヒンジ５１を挟んで揺動リンク５３と反対側にカウンターウェイトを設けることによって同様の効果を奏するようにしてもよい。
【００４８】
さらに、紙受け板５９上面を着色すれば、ミシン目の位置をより見やすくすることができ、切断位置を予め知ることができる。また、この紙受け板５９上面にゴム板を張り付け、この部分で長尺紙を保持するようにしてもよい。
【００４９】
また、上気実施の形態によれば、第１の歯部５７ｃを設け、この第１の歯部５７ｃで長尺紙Ｓを保持するようにしているが、これに限る必要はなく、例えば、上方に突出するゴム等からなる保持部を設け、この部分で長尺紙を保持するようにしてもよい。
【００５０】
さらに、上記実施の形態においては、主に板金を用いてロール紙保持切断装置を構成した場合について説明しているが、これに限る必要なく、例えば樹脂成形品、ダイキャスト等を使用してもよいことは勿論である。
【図面の簡単な説明】
【００５１】
【図１】本発明の第１の実施形態のロール紙の保持切断装置を示す斜視図。
【図２】図１に示すロール紙の保持切断装置でロール紙から長尺紙を引き出す状態を示す断面図。
【図３】図１に示すロール紙の保持切断装置でロール紙から引き出された長尺紙を切断す状態を示す断面図。
【図４】従来のロール紙の保持装置を示す概略構成図。
【符号の説明】
【００５２】
３１  ロール紙の保持切断装置
３３  基板
３５  ロール紙軸受け
４１  カバー
４５  回動アーム
４９  第１のガイドローラ
５３  揺動リンク
５７  押圧部材
５７ｂ  先端部
５７ｃ  第１の歯部
５９  紙受け板
６１  第２の歯部
６３  スプリング
【図１】
2005323760.tif 000003
【図２】
2005323760.tif 000004
【図３】
2005323760.tif 000005
【図４】
2005323760.tif 000006